(57)【要約】【課題】印刷後の記録紙をパーシャルカット可能な記録装置において、パーシャルカットされた記録紙をユーザが取り除くことなく記録紙のバックフィードを行うと、記録紙詰まりが発生してしまう。【解決手段】記録手段と、記録媒体を第１の方向又はその方向とは逆の第２の方向に搬送可能な搬送手段と、第１の方向に関し記録手段の下流側に設けられ、記録媒体をフルカット又はパーシャルカット可能な切断手段とを備えた記録装置で、次の制御を行う。即ち、前記切断手段によりパーシャルカットされた記録媒体を、次の印刷を実行する前にフルカットし、その後、前記記録媒体の先端部が前記記録手段の前記第１の方向の上流側に位置するまで前記記録媒体を第２の方向に搬送するよう前記搬送手段を制御する。【選択図】  図６
2019181844.tif 000002
【特許請求の範囲】
【請求項１】
連続した記録媒体に記録を行う記録手段と、
前記記録媒体を第１の方向又は該第１の方向とは逆方向の第２の方向に搬送することが可能な搬送手段と、
前記第１の方向に関し、前記記録手段の下流側に設けられ、ユーザからの指示に従って、記録媒体をフルカット又はパーシャルカットによって切断することが可能な切断手段と、
前記切断手段によりパーシャルカットされた記録媒体を、次の印刷を実行する前に前記切断手段によりフルカットし、その後、前記記録媒体の先端部が前記記録手段の前記第１の方向の上流側に位置するまで前記記録媒体を前記第２の方向に搬送するよう前記搬送手段を制御する制御手段とを有することを特徴とする記録装置。
【請求項２】
前記第１の方向に関し、前記記録手段の上流側に設けられ、前記記録媒体の先端部を検出する第１のセンサをさらに有し、
前記制御手段は、前記第１のセンサにより前記記録媒体の先端部が検出されるまで前記記録媒体を前記第２の方向に搬送するよう前記搬送手段を制御することを特徴とする請求項１に記載の記録装置。
【請求項３】
前記切断手段による次の印刷を実行する前のフルカットは、前記パーシャルカットされた記録媒体が取り除かれたかどうかに関わらず実行されることを特徴とする請求項１又は２に記載の記録装置。
【請求項４】
前記第１の方向に関し、前記切断手段の下流側に設けられ、前記パーシャルカットされた記録媒体が取り除かれたかどうかを検出する第２のセンサをさらに有し、
前記制御手段は、前記第２のセンサにより前記パーシャルカットされた記録媒体が取り除かれたことが検出された場合に、前記記録媒体を前記第２の方向に搬送するよう前記搬送手段を制御することを特徴とする請求項１又は２に記載の記録装置。
【請求項５】
前記制御手段は、前記第２のセンサにより前記パーシャルカットされた記録媒体が取り除かれていないことが検出された場合に、前記パーシャルカットされた記録媒体をフルカットするよう前記切断手段を制御することを特徴とする請求項４に記載の記録装置。
【請求項６】
前記ユーザからの指示は、前記記録装置に対して印刷ジョブを送信するホストによって行われ、前記印刷ジョブにカットなし指示、パーシャルカット指示、又は、フルカット指示が指定されることを特徴とする請求項１乃至５のいずれか１項に記載の記録装置。
【請求項７】
前記制御手段による制御は、印刷ジョブにより１ページの印刷指示を受信するたびに行われることを特徴とする請求項１乃至６のいずれか１項に記載の記録装置。
【請求項８】
前記制御手段による制御は、印刷ジョブによる１ページの印刷間隔が所定時間以上になった時に行われることを特徴とする請求項１乃至６のいずれか１項に記載の記録装置。
【請求項９】
連続した記録媒体に記録を行う記録手段と、前記記録媒体を第１の方向又は該第１の方向とは逆方向の第２の方向に搬送することが可能な搬送手段と、前記第１の方向に関し、前記記録手段の下流側に設けられ、ユーザからの指示に従って、記録媒体をフルカット又はパーシャルカットによって切断することが可能な切断手段とを備えた記録装置の制御方法であって、
前記切断手段によりパーシャルカットされた記録媒体を、次の印刷を実行する前に前記切断手段によりフルカットし、その後、前記記録媒体の先端部が前記記録手段の前記第１の方向の上流側に位置するまで前記記録媒体を前記第２の方向に搬送するよう前記搬送手段を制御することを特徴とする制御方法。
【発明の詳細な説明】
【技術分野】
【０００１】
本発明は記録装置、及びその制御方法に関し、特に、連続した記録媒体に記録を行った後に切断を行う記録装置、及びその制御方法に関する。
【背景技術】
【０００２】
従来よりロール状の連続紙のような記録媒体に印刷を行い、カッター装置により印刷した記録紙を切断し、切断した印刷済の記録紙を印刷物として出力する記録装置が知られている。
【０００３】
このような記録装置では、記録紙への印刷位置とカッター装置による切断位置との間には一定の距離がある。従って、印刷が完了した記録紙をカッター装置で切断後、その位置から次の印刷を開始すると、切断後の記録紙の先端部から印刷位置までの間に上記距離分に相当する余白が生じてしまう。このため、その余白分だけ記録紙を余計に消費してしまうだけでなく印刷物が不必要に大きくなってしまう。
【０００４】
このような問題を解決するために、例えば、特許文献１に記載されているように印刷が完了してカッター装置により記録紙を切断した後、記録紙を逆方向に搬送することで、余白を小さくする技術が知られている。
【０００５】
特許文献１に開示された記録装置が備えるカッター装置は、記録紙を完全に切断するフルカットと、記録紙を部分的に残して切断するパーシャルカットとを行なうことが可能な構成となっている。この構成では、パーシャルカットが行なわれた場合、切断された記録紙が地面に落下して取りにくくなったり、汚れたりする等の事態を防止することができ、ユーザが記録物を引きちぎることで受け取りやすくすることができる。しかしながら、パーシャルカットされた記録物が取り除かれないうちに記録紙が逆方向に搬送されると、先行ページが不安定な状態で記録装置の内部へ引き込まれて紙詰まり（以下、用紙ジャム）が発生する可能性がある。
【０００６】
そこで、特許文献２に記載されているように、印刷された記録紙をパーシャルカットで切断した場合、次の印刷ジョブを受信する等、ユーザが印刷物を除去したと思われるタイミングで逆方向に記録紙を搬送することによりジャムを防止する技術が知られている。
【先行技術文献】
【特許文献】
【０００７】
【特許文献１】特開平１０−１９３７１２号公報
【特許文献２】特開２００３−２６０８３１号公報
【発明の概要】
【発明が解決しようとする課題】
【０００８】
特許文献２に開示の技術では次の印刷ジョブの受信時には印刷物が除去されていることを前提としている。しかしながら、実際には、例えば、無人のレシート発券機など、ユーザが印刷物を取らない、または取り忘れたまま次の印刷ジョブを受信する場合なども存在し、完全にジャムの発生を防ぐことはできなかった。
【０００９】
本発明は上記従来例に鑑みてなされたもので、パーシャルカットされた記録媒体のジャムを防止することが可能な記録装置、及びその制御方法を提供することを目的とする。
【課題を解決するための手段】
【００１０】
上記目的を達成するために本発明の記録装置は次のような構成からなる。
【００１１】
即ち、連続した記録媒体に記録を行う記録手段と、前記記録媒体を第１の方向又は該第１の方向とは逆方向の第２の方向に搬送することが可能な搬送手段と、前記第１の方向に関し、前記記録手段の下流側に設けられ、ユーザからの指示に従って、記録媒体をフルカット又はパーシャルカットによって切断することが可能な切断手段と、前記切断手段によりパーシャルカットされた記録媒体を、次の印刷を実行する前に前記切断手段によりフルカットし、その後、前記記録媒体の先端部が前記記録手段の前記第１の方向の上流側に位置するまで前記記録媒体を前記第２の方向に搬送するよう前記搬送手段を制御する制御手段とを有することを特徴とする。
【００１２】
また本発明を別の側面から見れば、連続した記録媒体に記録を行う記録手段と、前記記録媒体を第１の方向又は該第１の方向とは逆方向の第２の方向に搬送することが可能な搬送手段と、前記第１の方向に関し、前記記録手段の下流側に設けられ、ユーザからの指示に従って、記録媒体をフルカット又はパーシャルカットによって切断することが可能な切断手段とを備えた記録装置の制御方法であって、前記切断手段によりパーシャルカットされた記録媒体を、次の印刷を実行する前に前記切断手段によりフルカットし、その後、前記記録媒体の先端部が前記記録手段の前記第１の方向の上流側に位置するまで前記記録媒体を前記第２の方向に搬送するよう前記搬送手段を制御することを特徴とする制御方法を備える。
【発明の効果】
【００１３】
本発明によれば、パーシャルカットされた記録紙のジャムの発生を防ぐことが可能であるという効果がある。
【図面の簡単な説明】
【００１４】
【図１】本発明の代表的な実施例に従うカッターを備えた記録装置の概要構成を示す側断面図である。
【図２】図１に示した記録装置の詳細な制御構成を示すブロック図である。
【図３】図１に示した記録装置のカッターの構成を示す断面図である。
【図４】記録紙セット後、１回目の印刷制御を示すフローチャートである。
【図５】記録紙の搬送状況を示す図である。
【図６】印刷後から次の印刷動作開始までの制御を示すフローチャートである。
【図７】実施例２に従う記録装置の内部構造の概略を示す側断面図である。
【図８】実施例２に従う印刷ジョブ後の次の印刷ジョブを実行する場合の印刷制御を示すフローチャートである。
【発明を実施するための形態】
【００１５】
以下添付図面を参照して本発明の好適な実施例について、さらに具体的かつ詳細に説明する。しかしながら、本発明は以下に説明する実施例により限定されるものではなく、本発明の要旨を逸脱しない範囲での変更や追加があっても構わない。
【００１６】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１７】
＜記録装置の構成（図１〜図２）＞
図１は、本発明の代表的な実施例であるインクジェット記録ヘッドを搭載した記録装置１００の内部構造の概略を示す側断面図である。
【００１８】
図１に示すように、記録装置１００とホストコンピュータ（以下、ホスト）１０１はＵＳＢケーブル１１１を介して接続されている。記録装置１００は記録紙のような記録媒体の幅全体に渡って複数のノズルを配列した４つのフルライン記録ヘッド（以下、記録ヘッド）１０２〜１０５を記録紙の搬送方向に沿って備えている。
【００１９】
４つの記録ヘッド１０２〜１０５はそれぞれ、ブラックインク、シアンインク、マゼンタインク、イエロインクを吐出して画像記録を行い、４つの記録ヘッドから吐出される４色のインクによりフルカラー画像を印刷する。なお、４つの記録ヘッド１０２〜１０５は記録ヘッドごとに交換可能である。
【００２０】
ホスト１０１からは生成され、４色のインクに対応したブラック（Ｂｋ）成分、シアン（Ｃ）成分、マゼンタ（Ｍ）成分、イエロ（Ｙ）成分に分離された濃度画像データが送信される。その画像データを受信した記録装置１００は、ロール状の記録紙１０６を給送し、押さえローラ１０７と搬送ベルト１０８で挟持して搬送するとともに、各記録ヘッド１０２〜１０５により順次、各色インクで印刷を行う。その印刷は用紙先端検知センサ１０９で印刷すべき記録紙１０６の先端部を検知して、そこからの移動距離に基づいて決定されたタイミングに従って記録ヘッド１０２〜１０５それぞれから各色インクを記録紙に吐出することにより行われる。また、印刷動作が完了後、記録紙の搬送方向下流側に一定の距離、置いて設けられたカッター装置１１０により記録紙の切断を行い印刷物を排出する。
【００２１】
図２は図１に示す記録装置の制御構成を示すブロック図である。
【００２２】
図２に示すように、記録装置１００のコントローラ２００に備えられたＣＰＵ２０１がＲＯＭ２０２に格納されている制御プログラムをＲＡＭ２０３を作業領域として用いて実行し各構成要素を制御する。また、コントローラ２００はＲＡＭ２０３を各種データ処理の作業領域や受信バッファとして使用し、イメージメモリ２０４を画像展開部として用いる。更に、コントローラ２００には、記録ヘッド１０２〜１０５を駆動するヘッド駆動回路２０８、各記録ヘッドを記録に最適な状態に保つためのクリーニング動作や記録動作を制御する各種モータ２０９を駆動するモータドライバ２１０を備える。また更に、各種動作の制御や記録紙の検知などを行うためのセンサ２１１などを制御するＡＳＩＣ２０５を備える。
【００２３】
また、記録装置１００はホスト１０１から送信された画像データやクリーニングコマンドなどをＵＳＢケーブル１１１を介して受信するＵＳＢコントローラ２１２を備え、受信した各種コマンド命令に従って動作する。但し、ホストとのインタフェースはＵＳＢに限るものではなく、有線或いは無線ネットワークを介してホスト１０１と接続されていても良い。
【００２４】
図３は図１に示した記録装置のカッター装置１１０の一例の概略構成を示す側断面図である。図３は、記録紙の搬送方向から眺めた図であり、図１とは直交する方向から眺めたものである。
【００２５】
図３に示すように、カッター装置１１０は固定刃３０１と可動刃３０２を備えており、可動刃３０２は駆動機構（不図示）により固定刃３０１に向けて駆動される。可動刃３０２は中央に溝部３０３が設けられている。可動刃３０２の溝部３０３が固定刃３０１のエッジ３０１ｅを超える位置まで駆動させるとフルカット、可動刃３０２の溝部３０３が固定刃３０１のエッジ３０１ｅを超えない位置まで駆動させるとパーシャルカットとなる。
【００２６】
ホスト１０１から印刷ジョブを送信する際に、ユーザは印刷後のカット動作を「カットなし／フルカット／パーシャルカット」の中から選択できる。印刷ジョブはカットパラメータとして「カットなし＝０」「フルカット＝１」「パーシャルカット＝２」をページ毎に指定できる。印刷ジョブを受信した記録装置１００はそのカットパラメータの値を解析し、その内容により、印刷後のカット制御に反映する。これにより、ユーザの設定に従って、フルカット、パーシャルカット、カットなしをページ毎に選択することができる。
【００２７】
なお、ここでは印刷ジョブのパラメータによりフルカットとパーシャルカット、カットなしを切り替えているが、カットの選択は記録装置側の設定に従い、全印刷ジョブ共通になるようにしても良い。
【００２８】
次に以上のような構成の記録装置を用いて、連続した記録紙に印刷を行う場合のカット制御の実施例について説明する。
【実施例１】
【００２９】
図４は記録紙セット後、１回目の印刷制御を示すフローチャートである。
【００３０】
まず、ステップＳ５００では、ホスト１０１からの指示に従って所定ページの印刷を実行し、その後、ステップＳ５０１では、カットパラメータの値を解析し、その値が“０”、つまり、カット指示なしの指定であるかどうかを調べる。ここで、カット指示なしであると判定された場合、処理はステップＳ５０６に進み、後で詳細に説明するバックフィードフラグをＯＮに設定して印刷動作を終了する。これに対して、カットパラメータの値が“０”でない、つまりフルカット又はパーシャルカットのカット指示ありと判定された場合、処理はステップＳ５０２に進む。
【００３１】
ステップＳ５０２では、さらにカットパラメータの値が“２”、つまりパーシャルカットの指示があるかどうかを調べる。ここで、その値が“１”、つまりフルカット指示であると判断された場合、処理はステップＳ５０３に進み、フルカットによって用紙を切断する。その後、ステップＳ５０７では、記録紙の搬送方向に関し、センサ１０９の上流まで記録紙１０６をバックフィードし、その後、印刷動作を終了する。これに対して、カットパラメータの値が“２”、つまりパーシャルカット指示であると判断された場合、処理はステップＳ５０４に進み、パーシャルカットを実行、即ち、記録紙の一部を残して切断する。その後、処理はステップＳ５０５において、後で詳細に説明するバックフィード前カットフラグをＯＮにし、さらにステップＳ５０８において、バックフィードフラグをＯＮに設定し、その後、印刷動作を終了する。
【００３２】
図５は記録紙１０６の搬送状況を示す図である。
【００３３】
図５（ａ）は印刷が終了して印刷物がフルカットにより切断、またはパーシャルカットによって一部を残して切断された後ユーザにより引きちぎられた状態を示している。
【００３４】
背景技術の項で説明した通り、また、図５に示すように、記録ヘッド１０２〜１０５とカッター装置１１０の間には一定の距離がある。従って、次の印刷指示でそのまま印刷を開始すると、カッター装置１１０から記録ヘッド１０２〜１０５までの各距離分だけ記録紙の先端に余白が発生してしまう。そこで、この実施例では、印刷開始前に記録ヘッドより搬送方向に関し上流側に記録紙が位置するよう、搬送ベルト１０８を逆方向に回転して記録紙を戻す（以下、バックフィード）ことにより不要な余白をなくしている。
【００３５】
図５（ｂ）はバックフィードを行った状態を示す。バックフィードを行うことにより、記録紙１０６の先端を用紙先端検知センサ１０９で検出し、その先端付近から印刷を行うことができる。
【００３６】
図６は印刷後から次の印刷動作開始までの制御（記録紙セット後、２回目以降の印刷制御）を示すフローチャートである。
【００３７】
記録装置１００は、まず図４に示したフローチャートに従って、１ページ目の印刷を行い、また、カットパラメータの値に従って、バックフィードフラグとバックフィード前カットフラグをセットする。
【００３８】
次の印刷ジョブを受信すると、まず、ステップＳ６０１では、図４で言及したバックフィード前カットフラグがＯＮとなっているかどうかを調べる。このフラグは前回の印刷ジョブでパーシャルカットが指定されていれば、ＯＮとなっている。
【００３９】
前述した通り、次の印刷において記録紙の先端の余白をなくすため、印刷開始前に記録ヘッドより上流側に記録紙の先端が位置するようバックフィードを行う。しかしながら、この制御を実行する際、前回の印刷ジョブの実行により印刷済の記録紙をパーシャルカットし、その記録紙が取り除かれていない状態でバックフィードを行うと、印刷済の記録紙が記録装置１００の内部で詰まり、ジャムが発生する可能性がある。
【００４０】
そこで、この実施例では前回の印刷ジョブで生成された印刷物がパーシャルカットされた場合、つまり、図４に示した印刷制御でバックフィード前カットフラグがＯＮにとなった場合、処理はステップＳ６０４に進む。そして、バックフィードを実行する前にカッター装置１１０を駆動させてフルカットを行い、その後、ステップＳ６０５で、バックフィード前カットフラグをＯＦＦにする。これにより、パーシャルカットにより一部つながったままになっている部分を完全に切断し、たとえユーザがパーシャルカットされた記録紙を取り除いていなかったとしても、バックフィード時にジャムを起こさない状態とすることができる。その後、処理はステップＳ６０２に進む。
【００４１】
一方、ステップＳ６０１において、バックフィード前カットフラグがＯＦＦであることが確認されたなら、処理はステップＳ６０２に進む。
【００４２】
ステップＳ６０２では、バックフィードフラグがＯＮとなっているかどうかを調べる。このフラグは前回の印刷ジョブでカット指示なし、又はパーシャルカット指示であった場合には、ＯＮになっている。ここで、バックフィードフラグがＯＮであることが確認されると、処理はステップＳ６０６に進み、次の印刷開始位置（カット指示なしの場合は２ページ目の印刷位置）まで記録紙のバックフィードを行なう。その後、ステップＳ６０７でバックフィードフラグをＯＦＦにする。その後、処理はステップＳ６０３に進み、図４で示した印刷制御を実行し、記録紙の先端から２ページ目の印刷を開始する。
【００４３】
これに対して、バックフィードフラグがＯＦＦであれば、前回の印刷ジョブでフルカット後、記録紙が既に記録装置１００の内部に引き込まれているので、処理はそのままステップＳ６０３に進み、２ページ目の印刷を行う。
【００４４】
従って以上説明した実施例に従えば、印刷後にパーシャルカットされた場合は次回印刷ジョブを受信した際にフルカットを行って記録紙を切断してからバックフィードを行うことで、ジャムを発生させることなく記録紙の先端から印刷を行うことが可能になる。
【００４５】
なお、この実施例ではパーシャルカットされた記録紙をユーザが取り除いたか否かに関わらず、バックフィードの前にフルカットを行う。なぜならば、想定通りユーザが記録紙を取り除いた場合でも、フルカット動作をすることに何ら問題はなく切断刃が空転するだけであるからである。
【００４６】
また、もともとパーシャルカットされた記録紙は印刷済の記録紙を落下させず保持させる目的があるが、例えば、レシート発券機などでは次の印刷ジョブを受信した際に前の記録紙が取り除かれていない場合、既に前の印刷物は不要となる場合が多い。このため、フルカットすることにより、その記録紙を切断しても実際上の問題は生じない。
【実施例２】
【００４７】
実施例１ではパーシャルカットされた記録紙がユーザにより取り除かれたか否かに関わらずその記録紙をバックフィードする前にフルカット動作を行っていた。この実施例では、記録装置１００の記録紙の排出口近傍に用紙検出用のセンサを設け、このセンサによってパーシャルカットされた記録紙がユーザによって取り除かれていないことを検出した場合のみフルカット動作を行う制御について説明する。
【００４８】
図７は実施例２に従う記録装置９００の内部構造の概略を示す側断面図である。なお、図７において、図１で説明したのと同じ構成要素には同じ参照番号を付し、その説明は省略し、この実施例に特有の構成要素についてのみ説明する。図７に示すように、記録装置９００にはパーシャルカットされた記録紙が取り除かれたかどうかを検知するための用紙取得検出センサ９０１を備えている。
【００４９】
図８は実施例２に従う印刷ジョブ後の次の印刷ジョブを実行する場合の印刷制御を示すフローチャートである。なお、図８では、図６において既に説明したのと同じ処理ステップには同じステップ参照番号を付し、その説明は省略し、ここでは、この実施例に特有の処理についてのみ説明する。
【００５０】
まず、ステップＳ５９１では、パーシャルカットで終了したことを示すバックフィード前カットフラグがＯＮであるかどうかを調べる。ここで、ＯＮであれば、処理はステップＳ５９２に進み、用紙取得検出センサ９０１の検出結果を取得し、パーシャルカットされた記録紙が取り除かれたかどうかを判定する。
【００５１】
ここで、その検出結果が用紙なしを示すならば、記録物がユーザにより取り除かれたことを示すので、処理はステップＳ５９３に進み、記録紙のバックフィードを実行し、さらにステップＳ５９４では、バックフィードフラグをＯＦＦする。また、記録紙が取り除かれたということはフルカット動作を行う必要はないので、さらに、ステップＳ５９５において、バックフィード前カットフラグもＯＦＦとする。
【００５２】
これに対して、ステップＳ５９２において、用紙取得検出センサ９０１の検出結果が用紙ありを示していれば、記録物がユーザにより取り除かれていないことを示すので、処理はステップＳ６０１に進む。また、ステップＳ５９１において、バックフィード前カットフラグがＯＦＦである場合も、処理はステップＳ６０１に進む。
【００５３】
これ以降は、実施例１と同様に図６で示したのと同じ処理を実行するので、その説明は省略する。
【００５４】
従って以上説明した実施例に従えば、用紙取得検出センサを備えるので、パーシャルカットされた記録物がユーザに取り除かれた時点でフルカット動作が不要であることを判断したり、バックフィードの実行を行うことができる。これにより、次の印刷ジョブを受信した際、速やかに印刷動作を実行することができ、待ち時間の短縮を図ることができる。
【００５５】
なお、以上説明した実施例では、パーシャルカットした記録紙をバックフィードした際にジャムが発生しやすいことから印刷１ページごとに次の印刷動作開始前にフルカット動作を行っていた。しかしながら、印刷ジョブを連続で受信した場合は、最終ページまでパーシャルカットを行って排出し、最終ページの印刷終了後、所定時間、次の印刷ジョブを受信しなかった時に、バックフィードフラグをセットするようにしても良い。つまり、印刷ジョブによる１ページの印刷間隔が所定時間以上になった時に、次の印刷動作開始前にフルカット動作を行うようにしても良い。
【００５６】
また、以上説明した実施例では、ロール状の記録紙に記録を行う記録装置を例に説明したが、例えば、ファンフォールド紙のような連続した記録紙に記録を行う記録装置にも本発明は適用可能である。
【００５７】
さらに、以上説明した実施例では、フルライン記録ヘッドを用いた記録装置を例に説明したが本発明はこれにより限定されるものではない。例えば、記録ヘッドを記録媒体の搬送方向とは直角の方向に往復移動しながらこれに合わせて記録紙を間欠搬送することで記録を行う記録装置でも良い。或いは、インク保持体に塗布されたインクを記録紙に転写することによって画像を形成する転写型プリンタなどであってもよい。
【００５８】
またさらに、以上説明した実施例では、カッター装置と記録装置に対して外付けされる構成としたが、本発明はこれによって限定されるものではなく、カッター装置が記録装置内に内蔵されている構成でも良い。
【符号の説明】
【００５９】
１００  インクジェット記録装置、１０１  ホストコンピュータ、
１０２  記録ヘッド（Ｂｋ）、１０３  記録ヘッド（Ｃ）、１０４  記録ヘッド（Ｍ）、
１０５  記録ヘッド（Ｙ）、１０６  記録紙、１０７  押さえローラ、
１０８  搬送ベルト、１０９  用紙先端検知センサ、１１０  カッター装置、
３０１  固定刃、３０２  可動刃、３０３  可動刃溝部、９０１  用紙取得検知センサ
【図１】
2019181844.tif 000003
【図２】
2019181844.tif 000004
【図３】
2019181844.tif 000005
【図４】
2019181844.tif 000006
【図５】
2019181844.tif 000007
【図６】
2019181844.tif 000008
【図７】
2019181844.tif 000009
【図８】
2019181844.tif 000010